(57)【要約】  １つの側面では、筺体内部を冷却する冷却ファン（３３〜３３ｂ）と冷却ファン（３３〜３３ｂ）を制御するファン制御部（３２〜３２ｂ）とをそれぞれ備える複数の情報処理装置（３０〜３０ｂ）を制御する監視サーバ（１０）である。このような監視サーバ（１０）は、音圧測定装置（２０〜２０ｂ）が測定する各情報処理装置（３０〜３０ｂ）が発する音の音圧情報に基づいて、各情報処理装置（３０〜３０ｂ）のファン制御部（３２〜３２ｂ）に対し、少なくともいずれかの冷却ファン（３３〜３３ｂ）の回転速度を変動させる制御を行う。
2012176339.tif 000002
【特許請求の範囲】
【請求項１】
筺体内部を冷却する冷却ファンと前記冷却ファンを制御するファン制御部とをそれぞれ備える複数の電子装置を制御する監視処理装置において、
音圧測定装置が測定する各電子装置が発する音の音圧情報に基づいて、各電子装置のファン制御部に対し、少なくともいずれかの冷却ファンの回転速度を変動させる制御を行うファン速度制御部を有することを特徴とする監視処理装置。
【請求項２】
前記ファン速度制御部は、
各電子装置の温度測定部が測定する電子装置の筺体内部の温度情報と、前記音圧測定装置が測定する各電子装置が発する音の音圧情報とに基づいて、筺体内部の温度が他の電子装置よりも低い優先制御対象の電子装置のファン制御部に対し、前記優先制御対象の電子装置の冷却ファンの回転速度が、他の電子装置の冷却ファンの回転速度と異なるように制御することを特徴とする請求項１記載の監視処理装置。
【請求項３】
前記ファン速度制御部は、
前記温度測定部が測定する温度情報が所定温度よりも高いか、又は、前記音圧測定装置が測定する音圧情報が所定音圧よりも大きいかに基づいて、前記優先制御対象の電子装置の冷却ファンの回転速度が、他の電子装置の冷却ファンの回転速度と異なるように制御することを特徴とする請求項２記載の監視処理装置。
【請求項４】
前記監視制御装置はさらに、
各電子装置が何れのグループに含まれるかを示すグループ情報を保持するグループ情報記憶部を有し、
前記ファン速度制御部は、
音圧測定装置が測定する各電子装置が発する音の音圧情報と、前記グループ情報記憶部が保持するグループ情報とに基づいて、各電子装置のファン制御部に対し、いずれかのグループに含まれる電子装置の冷却ファンの回転速度が、他のグループに含まれる電子装置の冷却ファンの回転速度と異なるように制御することを特徴とする請求項１記載の監視処理装置。
【請求項５】
複数の電子装置と、各電子装置を制御する監視処理装置とを含む電子システムにおいて、
各電子装置が発する音の音圧情報を測定する音圧測定装置を有し、
各電子装置は、
筺体内部を冷却する冷却ファンと、
前記冷却ファンを制御するファン制御部と、
を有し、
前記監視処理装置は、
音圧測定装置が測定する各電子装置が発する音の音圧情報に基づいて、各電子装置のファン制御部に対し、いずれかの電子装置の冷却ファンの回転速度が、他の電子装置の冷却ファンの回転速度と異なるように制御するファン速度制御部を有することを特徴とする電子システム。
【請求項６】
各電子装置はさらに、
各電子装置の筺体内部の温度情報を測定する温度測定部を有し、
前記ファン速度制御部は、
各温度測定部が測定する電子装置の筺体内部の温度情報と、前記音圧測定装置が測定する各電子装置が発する音の音圧情報とに基づいて、筺体内部の温度が他の電子装置よりも低い優先制御対象の電子装置のファン制御部に対し、前記優先制御対象の電子装置の冷却ファンの回転速度が、他の電子装置の冷却ファンの回転速度と異なるように制御することを特徴とする請求項５記載の電子システム。
【請求項７】
前記ファン速度制御部は、
各温度測定部が測定する温度情報が所定温度よりも高いか、又は、前記音圧測定装置が測定する音圧情報が所定音圧よりも大きいかに基づいて、前記優先制御対象の電子装置の冷却ファンの回転速度が、他の電子装置の冷却ファンの回転速度と異なるように制御することを特徴とする請求項６記載の電子システム。
【請求項８】
前記監視制御装置はさらに、
各電子装置が何れのグループに含まれるかを示すグループ情報を保持するグループ情報記憶部を有し、
前記ファン速度制御部は、
前記音圧測定装置が測定する各電子装置が発する音の音圧情報と、前記グループ情報記憶部が保持するグループ情報とに基づいて、各電子装置のファン制御部に対し、いずれかのグループに含まれる電子装置の冷却ファンの回転速度が、他のグループに含まれる電子装置の冷却ファンの回転速度と異なるように制御することを特徴とする請求項５記載の電子システム。
【請求項９】
冷却ファンと前記冷却ファンを制御するファン制御部とをそれぞれ備える複数の電子装置と、前記複数の電子装置を制御する監視処理装置とを有する電子システムの制御方法において、
音圧測定装置が、各電子装置が発する音の音圧情報を測定し、
前記監視処理装置が有するファン速度制御部が、前記音圧測定装置が測定する各電子装置が発する音の音圧情報に基づいて、各電子装置のファン制御部に対し、いずれかの電子装置の冷却ファンの回転速度が、他の電子装置の冷却ファンの回転速度と異なるように制御することを特徴とする電子システムの制御方法。
【請求項１０】
前記電子システムの制御方法において、
前記ファン速度制御部は、
各電子装置の温度測定部が測定する電子装置の筺体内部の温度情報と、前記音圧測定装置が測定する各電子装置が発する音の音圧情報とに基づいて、筺体内部の温度が他の電子装置よりも低い優先制御対象の電子装置のファン制御部に対し、前記優先制御対象の電子装置の冷却ファンの回転速度が、他の電子装置の冷却ファンの回転速度と異なるように制御することを特徴とする請求項９記載の電子システムの制御方法。
【請求項１１】
前記電子システムの制御方法において、
前記ファン速度制御部は、
前記温度測定部が測定する温度情報が所定温度よりも高いか、又は、前記音圧測定装置が測定する音圧情報が所定音圧よりも大きいかに基づいて、前記優先制御対象の電子装置の冷却ファンの回転速度が、他の電子装置の冷却ファンの回転速度と異なるように制御することを特徴とする請求項１０記載の電子システムの制御方法。
【請求項１２】
前記電子システムの制御方法において、
前記ファン速度制御部は、
音圧測定装置が測定する各電子装置が発する音の音圧情報と、各電子装置が備えるグループ情報記憶部が保持する、各電子装置が何れのグループに含まれるかを示すグループ情報とに基づいて、各電子装置のファン制御部に対し、いずれかのグループに含まれる電子装置の冷却ファンの回転速度が、他のグループに含まれる電子装置の冷却ファンの回転速度と異なるように制御することを特徴とする請求項１１記載の電子システムの制御方法。
【請求項１３】
筺体内部を冷却する冷却ファンと前記冷却ファンを制御するファン制御部とをそれぞれ備える複数の電子装置を制御する監視処理装置の制御プログラムにおいて、
前記監視処理装置が有する演算処理装置に、
音圧測定装置が測定した各電子装置が発する音の音圧情報を取得させ、
各電子装置が備えるファン制御部に対し、いずれかの電子装置の冷却ファンの回転速度が、他の電子装置の冷却ファンの回転速度と異なるように制御させることを特徴とする監視処理装置の制御プログラム。
【請求項１４】
前記監視処理装置の制御プログラムにおいて、
前記演算処理装置に、
各電子装置が備えるファン制御部に対し、各電子装置の温度測定部が測定する電子装置の筺体内部の温度情報と、前記音圧測定装置が測定する各電子装置が発する音の音圧情報とに基づいて、筺体内部の温度が他の電子装置よりも低い優先制御対象の電子装置のファン制御部に対し、前記優先制御対象の電子装置の冷却ファンの回転速度が、他の電子装置の冷却ファンの回転速度と異なるように制御ことを特徴とする請求項１３記載の監視処理装置の制御プログラム。
【請求項１５】
前記監視処理装置の制御プログラムにおいて、
前記演算処理装置に、
各電子装置が備えるファン制御部に対し、前記温度測定部が測定する温度情報が所定温度よりも高いか、又は、前記音圧測定装置が測定する音圧情報が所定音圧よりも大きいかに基づいて、前記優先制御対象の電子装置の冷却ファンの回転速度が、他の電子装置の冷却ファンの回転速度と異なるように制御させることを特徴とする請求項１４記載の監視処理装置の制御プログラム。
【請求項１６】
前記監視処理装置の制御プログラムにおいて、
前記演算処理装置に、
各電子装置が備えるファン制御部に対し、音圧測定装置が測定する各電子装置が発する音の音圧情報と、各電子装置が備えるグループ情報記憶部が保持する、各電子装置が何れのグループに含まれるかを示すグループ情報とに基づいて、各電子装置のファン制御部に対し、いずれかのグループに含まれる電子装置の冷却ファンの回転速度が、他のグループに含まれる電子装置の冷却ファンの回転速度と異なるように制御させることを特徴とする請求項１５記載の監視処理装置の制御プログラム。
【発明の詳細な説明】
【技術分野】
【０００１】
本発明は、監視処理装置、電子システム、電子システムの制御方法、監視処理装置の制御プログラムに関する。
【背景技術】
【０００２】
従来、電子部品が発する熱によって電子部品そのものが劣化してしまうことを防ぐために、電子部品を冷却する冷却ファンを複数有する情報処理装置が知られている。【０００３】
このような情報処理装置が有する冷却ファンは、回転速度に応じて、特定の周波数成分が多い音を発生させる。このため、情報処理装置は、自身が有する各冷却ファンの回転速度をそれぞれ同じ回転速度に設定した場合には、特定の周波数成分の音量が大きくなり、騒音を発生させてしまう。【０００４】
このような騒音などを低減するため、冷却ファンの回転速度をそれぞれ異なる回転速度に設定する情報処理装置が知られている。このような情報処理装置は、自身が有する各冷却ファンの回転速度をそれぞれ異なる回転速度に設定することで、各冷却ファンが発生させる音の周波数成分のピークをずらし、騒音を低減する。
【先行技術文献】
【特許文献】
【０００５】
【特許文献１】特開２０００−２４２３４０号公報
【特許文献２】特開平６−１１７７４３号公報
【特許文献３】特開２００２−０２３２６７号公報
【発明の概要】
【発明が解決しようとする課題】
【０００６】
しかしながら、情報処理装置が有する複数の冷却ファンの回転速度をそれぞれ異なる回転速度に設定する技術では、複数の情報処理装置を同時に動作させる場合には、適切に騒音を低減することができないという問題がある。【０００７】
例えば、複数の情報処理装置を有し、かつ、異なるメーカーの情報処理装置が混在する情報処理システム全体から発生する騒音を事前に予測することは困難である。このため、情報処理システムを実際に稼働させなければ、情報処理システムから発生する騒音を確認することができない。この結果、上述した技術では、各情報処理装置が有する冷却ファンの回転速度の設定に対して、情報処理システムが発生させる騒音に基づくフィードバック制御を行うことができない。また、情報処理システムを実際に稼働させなければ、各情報処理装置から発生する騒音や、特定の周波数成分が強調されることにより情報処理装置の一部分から発生する騒音を事前に予測できない。【０００８】
また、データセンター等の情報処理システムが設置される計算機室においては、騒音はあまり問題とはならないが、情報処理システムが設置される建物の構造により、計算機室の周辺に特定の周波数成分が伝播して、騒音が発生する場合がある。このような情報処理システムが発生させる騒音を情報処理システムの設置前に予測することは困難である。【０００９】
1つの側面では、本発明は、複数の電子装置を有するシステムにおいて、騒音の低減を図ることを目的とする。
【課題を解決するための手段】
【００１０】
１つの側面では、筺体内部を冷却する冷却ファンと冷却ファンを制御するファン制御部とをそれぞれ備える複数の電子装置を制御する監視処理装置である。このような監視処理装置は、音圧測定装置が測定する各電子装置が発する音の音圧情報に基づいて、各電子装置のファン制御部に対し、少なくともいずれかの冷却ファンの回転速度を変動させる制御を行う。
【発明の効果】
【００１１】
本願に開示の技術は、一つの態様によれば、騒音の低減を図ることができる。
【図面の簡単な説明】
【００１２】
【図１】図１は、実施例１に係る情報処理システムの一例を説明するための図である。
【図２】図２は、実施例１に係る回転速度テーブルの一例を説明するための第１の図である。
【図３】図３は、実施例１に係る回転速度テーブルの一例を説明するための第２の図である。
【図４】図４は、実施例１に係る回転速度テーブルの一例を説明するための第３の図である。
【図５】図５は、実施例１に係る情報処理システムの起動時に各冷却ファンに対して設定される回転速度を説明するための図である。
【図６】図６は、実施例１に係る各情報処理装置から発せられる音の周波数特定を説明するための図である。
【図７】図７は、実施例１に係る情報処理システムから発せられる音の周波数特性を説明するための図である。
【図８】図８は、実施例１に係る情報処理装置の前面から発せられる音の一例を説明するための図である。
【図９】図９は、実施例１に係る情報処理装置の背面から発せられる音の一例を説明するための図である。
【図１０】図１０は、実施例１に係る監視サーバが実行する処理の一例を説明するための図である。
【図１１】図１１は、実施例２に係る情報処理システムの一例を説明するための図である。
【図１２】図１２は、実施例３に係る情報処理装置の一例を説明するための図である。
【図１３】図１３は、実施例３に係る情報処理装置のグループを説明するための図である。
【図１４】図１４は、実施例３に係る情報処理装置のグループに対して、回転速度を設定する処理を説明するための図である。
【図１５ａ】図１５ａは、各情報処理装置の優先順位を説明するための図である。
【図１５ｂ】図１５ｂは、実施例３に係る情報処理システムの一例を説明するための図である。
【図１５ｃ】図１５ｃは、実施例３に係るグループ情報の一例を説明するための図である。
【図１５ｄ】図１５ｄは、実施例３に係る監視サーバが各グループの情報処理装置が有する冷却ファンに対して設定する回転速度を説明するための図である。
【図１６】図１６は、音響優先情報を設定する情報処理システムの一例を説明するための図である。
【図１７】図１７は、実施例３に係る監視サーバ１０ｄが音響優先情報に基づいて実行する処理の一例を説明するためのフローチャートである。
【図１８】図１８は、音響測定装置の設置位置を説明するための第１の図である。
【図１９】図１９は、音響測定装置の設置位置を説明するための第２の図である。
【図２０】図２０は、音響測定装置の設置位置を説明するための第３の図である。
【図２１】図２１は、計算機室内において測定された音の周波数成分を説明するための図である。
【図２２】図２２は、計算機室外において測定された音の周波数成分を説明するための図である。
【図２３】図２３は、実施例３に係る情報処理システムが新たな冷却ファンの回転速度を算出する処理を説明するためのフローチャートである。
【図２４】図２４は、温度を優先する情報処理装置の冷却ファンに対する制御の一例を説明するための図である。
【図２５】図２５は、音響を優先する情報処理装置の冷却ファンに対する制御の一例を説明するための図である。
【図２６】図２６は、情報処理システムが異常を検知する処理の流を説明するためのフローチャートである。
【図２７】図２７は、温度ごとに異なる回転速度を設定する回転速度テーブルを説明するための図である。
【図２８】図２８は、冷却ファン制御プログラムを実行する監視サーバの一例を説明するための図である。
【発明を実施するための形態】
【００１３】
以下に添付図面を参照して本願に係る監視処理装置、電子システム、電子システムの制御方法、監視処理装置の制御プログラムについて説明する。
【実施例１】
【００１４】
以下の実施例１では、図１を用いて、情報処理システムの一例を説明する。図１は、実施例１に係る情報処理システムの一例を説明するための図である。図１に示す例では、情報処理システム１は、監視サーバ１０、複数の音響測定装置２０、２０ａ、２０ｂ、複数の情報処理装置３０、３０ａ、３０ｂを有する。【００１５】
監視サーバ１０は、ファン回転速度テーブル記憶部１１、温度情報収集部１２、温度解析部１３、音響情報収集部１４、音響解析部１５、ファン回転速度決定部１６、ファン回転速度設定部１７、温度音響記憶部１８を有する。また、情報処理装置３０は、温度測定部３１、ファン回転速度制御部３２、冷却ファン３３を有する。また、情報処理装置３０ａは、温度測定部３１ａ、ファン回転速度制御部３２ａ、冷却ファン３３ａを有する。また、情報処理装置３０ｂは、温度測定部３１ｂ、ファン回転速度制御部３２ｂ、冷却ファン３３ｂを有する。【００１６】
なお、図１では省略したが、情報処理システム１は、音響測定装置２０〜２０ｂ以外にも、複数の音響測定装置を有しても良い。また、情報処理システム１は、情報処理装置３０〜３０ｂ以外にも、複数の情報処理装置を有してもよい。【００１７】
まず、情報処理システム１が有する各音響測定装置２０〜２０ｂ、各情報処理装置３０〜３０ｂが有する各部について説明する。なお、以下の説明においては、情報処理装置３０ａが有する各部３１ａ〜３３ａと情報処理装置３０ｂが有する各部３１ｂ〜３３ｂとは、情報処理装置３０が有する各部３１〜３３とそれぞれ同様の機能を発揮するものとして、説明を省略する。【００１８】
各音響測定装置２０〜２０ｂは、各情報処理装置３０〜３０ｂの近傍に設置される音響測定装置である。具体的には、各音響測定装置２０〜２０ｂは、各情報処理装置３０〜３０ｂから発せられる音を測定し、測定した音を示す波形データを生成する。そして、音響測定装置２０〜２０ｂは、監視サーバ１０が有する音響情報収集部１４から音響情報の送信要求を受信した場合には、生成した波形データを音響情報として音響情報収集部１４へ送信する。【００１９】
温度測定部３１は、情報処理装置３０内における温度を測定し、測定した温度を示す情報を温度情報収集部１２へ送信する。例えば、温度測定部３１は、熱電対等を利用した温度測定装置を用いて、情報処理装置３０内の温度を測定し、測定した温度を示す情報を生成する。そして、温度測定部３１は、監視サーバ１０が有する温度情報収集部１２から温度情報の送信要求を受信した場合には、生成した温度を示す情報を温度情報収集部１２へ送信する。【００２０】
ファン回転速度制御部３２は、冷却ファン３３の回転速度を制御する制御部である。具体的には、ファン回転速度制御部３２は、監視サーバ１０が有するファン回転速度設定部１７から冷却ファン３３の回転速度を指示する情報を受信した場合には、冷却ファン３３の回転速度を、受信した情報が示す回転速度に設定する。【００２１】
冷却ファン３３は、情報処理装置３０が有する各種電子機器等を冷却する冷却ファンである。具体的には、冷却ファン３３は、定格回転速度の範囲内で任意の回転速度を設定することができる冷却ファンであり、ファン回転速度制御部３２によって設定された回転速度でファンを回転させ、情報処理装置３０の筺体内に含まれる各種電子機器等を冷却する。【００２２】
次に、監視サーバ１０が有する各部１０〜１７について説明する。ファン回転速度テーブル記憶部１１は、各情報処理装置３０〜３０ｂが有する各冷却ファンの回転速度を示す複数の回転速度テーブルを記憶する記憶部である。具体的には、ファン回転速度テーブル記憶部１１は、初期状態における各冷却ファン３３〜３３ｂの回転速度を示す回転速度テーブルを「パターン１」の回転速度テーブルとして記憶する。【００２３】
また、ファン回転速度テーブル記憶部１１は、「パターン１」の回転速度テーブルよりも低い回転速度を示す複数の回転速度テーブルの組を「パターン２」の回転速度テーブルのグループとして記憶する。また、ファン回転速度テーブル記憶部１１は、「パターン１」の回転速度テーブルよりも高い回転速度を示す複数の回転速度テーブルの組を「パターン３」の回転速度テーブルのグループとして記憶する。すなわち、以下の説明においては、複数の回転速度テーブルの組を回転速度テーブルのグループと称する。【００２４】
以下、図２〜図４を用いて、ファン回転速度テーブル記憶部１１が記憶する各回転速度テーブルについて説明する。まず、図２を用いて、パターン１の回転速度テーブルについて説明する。図２は、実施例１に係る回転速度テーブルの一例を説明するための第１の図である。図２に示す回転速度テーブルは、「パターン１」としてファン回転速度テーブル記憶部１１に記憶された回転速度テーブル１１ａである。「パターン１」の回転速度テーブル１１ａには、各情報処理装置３０〜３０ｂを示す情報と、各情報処理装置３０〜３０ｂが有する冷却ファン３３〜３３ｂの回転速度とが対応付けて格納されている。【００２５】
図２に示す例では、「パターン１」の回転速度テーブル１１ａは、情報処理装置３０が有する冷却ファン３３の回転速度を「Ｌ」（回転／秒）とし、情報処理装置３０ａが有する冷却ファン３３ａの回転速度を「Ｍ」（回転／秒）とすることを示す。また、「パターン１」の回転速度テーブル１１ａは、情報処理装置３０ｂが有する冷却ファン３３ｂの回転速度を「Ｎ」（回転／秒）とすることを示す。つまり、「パターン１」の回転速度テーブル１１ａは、各情報処理装置３０〜３０ａが有する各冷却ファン３３〜３３ｂの回転速度をそれぞれ異なる回転速度に設定することを示す。【００２６】
また、後述するように、監視サーバ１０は、情報処理システム１の起動時に、各情報処理装置３０〜３０ｂが有する各冷却ファン３３〜３３ｂの回転速度を「パターン１」の回転速度テーブル１１ａが示す回転速度に設定する。つまり「パターン１」の回転速度テーブル１１ａは、各冷却ファン３３〜３３ｂの回転速度の初期値を示す回転速度テーブルである。【００２７】
図３は、実施例１に係る回転速度テーブルの一例を説明するための第２の図である。図３に示すテーブルは、「パターン２」の回転速度テーブルのグループとして記憶された複数の回転速度テーブルである。図３に示す例では、「パターン２」の回転速度テーブルのグループとして記憶された複数の回転速度テーブル１１ｂ、１１ｃ・・・には、「パターン１」の回転速度テーブル１１ａと同様に、各情報処理装置３０〜３０ｂと、各冷却ファン３３〜３３ｂの回転速度とが対応付けて格納されている。【００２８】
なお、ファン回転速度テーブル記憶部１１は、図３に示す「パターン２−１」の回転速度テーブル１１ｂ、および、「パターン２−２」の回転速度テーブル１１ｃ以外にも、複数のテーブルを「パターン２」のグループに含まれる回転速度テーブルとして記憶しているものとする。【００２９】
例えば、図３に示す「パターン２−１」の回転速度テーブル１１ｂは、「パターン１」の回転速度テーブル１１ａに格納された各冷却ファン３３〜３３ｂの回転速度を、それぞれ変更前の９５パーセントに減少させたテーブルである。また、図３に示す「パターン２−２」の回転速度テーブル１１ｃは、「パターン１」の回転速度テーブル１１ａに格納された各冷却ファン３３〜３３ｂの回転速度を、それぞれ変更前の９０パーセントに減少させたテーブルである。【００３０】
図４は、実施例１に係る回転速度テーブルの一例を説明するための第３の図である。図４に示すテーブルは、「パターン３」の回転速度テーブルのグループとして記憶された複数のテーブルである。「パターン３」の回転速度テーブルのグループとして記憶された複数のテーブルには、「パターン１」の回転速度テーブル１１ａと同様に、各情報処理装置３０〜３０ｂと、各冷却ファン３３〜３３ｂの回転速度とが対応付けて格納されている。【００３１】
なお、ファン回転速度テーブル記憶部１１は、図４に示す「パターン３−１」の回転速度テーブル１１ｄ、および、「パターン３−２」の回転速度テーブル１１ｅ以外にも、複数のテーブルを「パターン３」のグループとして記憶しているものとする。【００３２】
例えば、図４に示す「パターン３−１」の回転速度テーブル１１ｄは、「パターン１」の回転速度テーブル１１ａに格納された各冷却ファン３３〜３３ｂの回転速度を、それぞれ変更前の１０５パーセントに増加させた回転速度テーブルである。また、図４に示す「パターン３−２」の回転速度テーブル１１ｅは、「パターン１」の回転速度テーブル１１ａに格納された各冷却ファン３３〜３３ｂの回転速度を、それぞれ変更前の１１０パーセントに増加させたテーブルである。【００３３】
図１に戻って、温度情報収集部１２は、一定時間ごとに、各温度測定部３１〜３１ｂに対して、温度情報の送信要求を送信する。そして、温度情報収集部１２は、各温度測定部３１〜３１ｂから温度情報を受信した場合には、受信した温度情報を温度解析部１３へ送信する。【００３４】
温度解析部１３は、温度情報収集部１２が各情報処理装置３０〜３０ｂから受信した温度情報を解析し、各情報処理装置３０〜３０ｂの温度を取得する。そして、温度解析部１３は、取得した各情報処理装置３０〜３０ｂの温度を示す情報を、ファン回転速度決定部１６に送信する。また、温度解析部１３は、取得した各情報処理装置３０〜３０ｂの温度を示す情報を温度音響記憶部１８に記憶させる。【００３５】
音響情報収集部１４は、一定時間ごとに、各音響測定装置２０〜２０ｂに対して、音響情報の送信要求を送信する。そして、音響情報収集部１４は、各音響測定装置２０〜２０ｂから音響情報を受信した場合には、受信した音響情報を音響解析部１５へ送信する。【００３６】
音響解析部１５は、音響情報収集部１４から音響情報を受信した場合には、受信した音響情報を解析し、各音響測定装置２０〜２０ｂが測定した音について、各周波数成分の音圧レベルを算出する。そして、音響解析部１５は、各周波数成分の音圧レベルを示す音響情報をファン回転速度決定部１６へ送信する。また、音響解析部１５は、各周波数成分の音圧レベルを示す音響情報を温度音響記憶部１８に記憶させる。【００３７】
ファン回転速度決定部１６は、各音響測定装置２０〜２０ｂが測定した音、および、各温度測定部３１〜３１ｂが測定した温度に基づいて、各情報処理装置３０〜３０が有する冷却ファン３３〜３３ｂの回転速度を決定する。具体的には、ファン回転速度決定部１６は、情報処理システム１の起動時に、ファン回転速度テーブル記憶部１１に記憶されたテーブルのうち、「パターン１」の回転速度テーブル１１ａを参照する。【００３８】
そして、ファン回転速度決定部１６は、参照した「パターン１」の回転速度テーブル１１ａが示す冷却ファン３３の回転速度「Ｌ」、冷却ファン３３ａの回転速度「Ｍ」、冷却ファン３３ｂの回転速度「Ｎ」をファン回転速度設定部１７に通知する。また、ファン回転速度決定部１６は、「パターン１」を冷却ファン３３、冷却ファン３３ａ及び冷却ファン３３ｂの現在の設定として記憶するとともに、「パターン１」を設定した旨の情報を温度音響記憶部１８に記憶させる。【００３９】
また、ファン回転速度決定部１６は、温度解析部１３から、各情報処理装置３０〜３０ｂの温度を示す情報を受信する。また、ファン回転速度決定部１６は、各情報処理装置３０〜３０ｂの温度を示す情報に基づいて、各情報処理装置３０〜３０ｂに温度が所定の閾値よりも高い情報処理装置が存在するか否かを判別する。そして、ファン回転速度決定部１６は、温度が所定の閾値よりも高い情報処理装置が存在すると判別した場合には、温度に問題があると判別する。【００４０】
また、ファン回転速度決定部１６は、音響解析部１５から、各音響測定装置２０〜２０ｂが測定した音について、各周波数成分の音圧レベルを示す情報を受信する。また、ファン回転速度決定部１６は、受信した各周波数成分の音圧レベルを示す情報に基づいて、各周波数成分の平均の音圧レベルが所定の閾値よりも大きいか否か、または、各周波数成分の最大音圧レベルであるピーク値が所定の閾値よりも大きいか否か、を判別する。そして、ファン回転速度決定部１６は、いずれかの周波数成分の音圧レベルが所定の閾値よりも大きい、または、各周波数成分のピーク値が所定の閾値よりも大きいと判別した場合には、音響に問題があると判別する。【００４１】
そして、ファン回転速度決定部１６は、温度に問題があると判別した場合には、各冷却ファン３３〜３３ｂの回転速度を増加させる。詳細には、ファン回転速度決定部１６は、現在の設定が「パターン１」である際に温度に問題があると判別した場合には、「パターン３」の回転速度グループとしてファン回転速度テーブル記憶部１１に記憶された回転速度テーブルのうち、設定された回転速度が最も低い「パターン３−１」の回転速度テーブル１１ｄを参照する。【００４２】
そして、ファン回転速度決定部１６は、「パターン３−１」の回転速度テーブル１１ｄが示す各冷却ファン３３〜３３ｂの回転速度をファン回転速度設定部１７に通知する。つまり、ファン回転速度決定部１６は、各冷却ファン３３〜３３ｂの回転速度を初期回転速度から５パーセント増加させる。また、ファン回転速度決定部１６は、参照した「パターン３−１」を現在の設定として記憶するとともに、「パターン３−１」を設定した旨の情報を温度音響記憶部１８に記憶させる。【００４３】
また、ファン回転速度決定部１６は、現在の設定が「パターン３−１」である際に、再度温度に問題があると判別した場合には、ファン回転速度テーブル記憶部１１に記憶された「パターン３−２」の回転速度テーブル１１ｅを参照する。そして、ファン回転速度決定部１６は、「パターン３−２」の回転速度テーブル１１ｅが示す各冷却ファン３３〜３３ｂの回転速度をファン回転速度設定部１７に通知する。【００４４】
つまり、ファン回転速度決定部１６は、各冷却ファン３３〜３３ｂの回転速度を初期回転速度から１０パーセント増加させる。このように、ファン回転速度決定部１６は、各冷却ファン３３〜３３ｂの回転速度を初期回転速度から増加させたにも係らず、再度温度に問題があると判別した場合には、各冷却ファン３３〜３３ｂの回転速度をさらに所定の割合だけ増加させる。【００４５】
一方、ファン回転速度決定部１６は、温度に問題がないと判別し、かつ、音響に問題があると判別した場合には、各冷却ファン３３〜３３ｂの回転速度を減少させる。詳細には、ファン回転速度決定部１６は、現在の設定が「パターン１」である際に温度に問題が無いと判別した場合には、「パターン２」のグループとしてファン回転速度テーブル記憶部１１に記憶された回転速度テーブルのうち、最も回転速度が高い「パターン２−１」の回転速度テーブル１１ｂを参照する。【００４６】
そして、ファン回転速度決定部１６は、「パターン２−１」の回転速度テーブル１１ｂが示す各冷却ファン３３〜３３ｂの回転速度をファン回転速度設定部１７に通知する。つまり、ファン回転速度決定部１６は、各冷却ファン３３〜３３ｂの回転速度を初期回転速度から５パーセント減少させる。また、ファン回転速度決定部１６は、参照した「パターン２−１」を現在の設定として記憶するとともに、「パターン２−１」を設定した旨の情報を温度音響記憶部１８に記憶させる。【００４７】
また、ファン回転速度決定部１６は、現在の設定が「パターン２−１」である際に、温度に問題が無いと判別し、かつ、音響に問題があると判別した場合には、「パターン２−２」の回転速度テーブル１１ｃを参照する。そして、ファン回転速度決定部１６は、参照した「パターン２−２」の回転速度テーブル１１ｃが示す各冷却ファン３３〜３３ｂの回転速度をファン回転速度設定部１７に通知する。つまり、ファン回転速度決定部１６は、各冷却ファンの回転速度を初期回転速度から１０パーセント減少させる。また、ファン回転速度決定部１６は、参照した「パターン２−２」を現在の設定として記憶するとともに、「パターン２−２」を設定した旨の情報を温度音響記憶部１８に記憶させる。【００４８】
また、ファン回転速度決定部１６は、現在の設定が「パターン３」のグループである際に、温度に問題がないと判別し、かつ、音響に問題がないと判別した場合には、以下の処理を行う。すなわち、ファン回転速度決定部１６は、新たな温度情報と音響情報とを受信するまで、各冷却ファン３３〜３３ｂの回転速度を維持する。【００４９】
また、ファン回転速度決定部１６は、現在の設定が「パターン３」のグループである際に、温度に問題が無いと判別し、かつ、音響に問題があると判別した場合には、現在の設定よりも各冷却ファン３３〜３３ｂの回転速度が一段階低いパターンを参照する。例えば、ファン回転速度決定部１６は、現在の設定が「パターン３−２」である際に、温度に問題がないと判別し、かつ、音響に問題があると判別した場合には、「パターン３−１」の回転速度テーブル１１ｄを参照する。そして、ファン回転速度決定部１６は、新たに参照した「パターン３−１」の回転速度テーブル１１ｄが示す回転速度をファン回転速度設定部１７に通知し、現在の設定を「パターン３−１」に更新する。また、ファン回転速度決定部１６は、「パターン３−１」を選択した旨の情報を温度音響記憶部１８に記憶させる。【００５０】
また、ファン回転速度決定部１６は、現在の設定が「パターン２」のグループである際に、温度に問題があると判別した場合には、各冷却ファン３３〜３３ｂの回転速度が一段階高いパターンを参照する。例えば、ファン回転速度決定部１６は、現在の設定が「パターン２−２」の回転速度テーブル１１ｃである際に、温度に問題があると判別した場合には、「パターン２−１」の回転速度テーブル１１ｂを参照する。そして、ファン回転速度決定部１６は、新たに参照した「パターン２−１」の回転速度テーブル１１ｂが示す回転速度をファン回転速度設定部１７に通知し、現在の設定を「パターン２−１」に更新する。また、ファン回転速度決定部１６は、「パターン２−１」を設定した旨の情報を温度音響記憶部１８に記憶させる。【００５１】
ファン回転速度設定部１７は、各情報処理装置３０〜３０ｂが有する各冷却ファン３３〜３３ｂの回転速度をファン回転速度決定部１６から通知された回転速度に設定する。具体的には、ファン回転速度設定部１７は、ファン回転速度決定部１６から、各冷却ファン３３〜３３ｂの回転速度の通知を取得する。そして、ファン回転速度設定部１７は、取得した各冷却ファン３３〜３３ｂの回転速度を各ファン回転速度制御部３２〜３２ｂへ送信する。【００５２】
ここで、図５を用いて、各冷却ファン３３〜３３ｂに設定される回転速度について説明する。図５は、実施例１に係る情報処理システムの起動時に各冷却ファンに対して設定される回転速度を説明するための図である。図５に示す例では、監視サーバ１０のファン回転速度設定部１７は、ファン回転速度制御部３２に回転速度「Ｌ」（回転／秒）を通知し、ファン回転速度制御部３２ａに回転速度「Ｍ」（回転／秒）を通知し、ファン回転速度制御部３２ｂに回転速度「Ｎ」（回転／秒）を通知する。この結果、各ファン回転速度制御部３２〜３２ｂは、各冷却ファン３３〜３３ｂに対して、それぞれ異なる回転速度を設定することとなる。この結果、情報処理システム１は、情報処理システム１の全体から発せられる騒音を軽減することができる。【００５３】
すなわち、冷却ファンは、回転速度に応じた周波数特定を有する音を発生させる。このため、従来の情報処理システムは、複数の冷却ファンを同一の回転速度で稼働させた場合には、特定の周波数において音圧レベルが増大し、騒音を発生させてしまう。一方、情報処理装置１は、各冷却ファン３３〜３３ｂの回転速度をそれぞれ異なる回転速度に設定する。この結果、各冷却ファン３３〜３３ｂから発生する音の周波数特定が、各冷却ファン３３〜３３ｂごとにそれぞれ異なるため、情報処理装置１は、特定の周波数における音圧レベルの増大を防ぎ、騒音を防ぐことができる。【００５４】
ここで、図６は、実施例１に係る各情報処理装置から発せられる音の周波数特定を説明するための図である。例えば、図６に示す例では、情報処理装置３０から発せられる音の周波数特定と、情報処理装置３０ａから発せられる音の周波数特定と、情報処理装置３０ｂから発生される音の周波数特定が表されている。【００５５】
ここで、図６中（Ａ）は、情報処理装置３０ｂが発する各周波数の音のうち、音圧レベルが最も高いピークを示し、図６中（Ｂ）は、情報処理装置３０ａが発する各周波数の音のうち、音圧レベルが最も高いピークを示す。また、図６中（Ｃ）は、情報処理装置３０が発する各周波数の音のうち、音圧レベルが最も高いピークを示す。図６に示すように、情報処理システム１は、各情報処理装置３０〜３０ｂが有する各冷却ファン３３〜３３ｂの回転速度をそれぞれ異なる回転速度とすることで、各情報処理装置３０〜３０ｂから発せられる音のピークを異なる周波数にずらすことができる。【００５６】
図７は、実施例１に係る情報処理システムから発せられる音の周波数特性を説明するための図である。図７に示すグラフのうち、実線で示すグラフは、各冷却ファン３３〜３３ｂの回転速度を同じにした際に情報処理装置３０〜３０ｂが発する各周波数の音圧を合成したものであり、点線で示すグラフは、各冷却ファン３３〜３３ｂの回転速度をずらした際に情報処理装置３０〜３０ｂが発する各周波数の音圧を合成したものである。また、図７中（Ｄ）は、情報処理装置３０〜３０ｂが発する各周波数の音圧を合成した波形のピークを示す。【００５７】
図７中点線で示すグラフに示すように、情報処理装置３０〜３０ｂが同一装置であり、ファン３３〜３３ｂの回転速度が同一の場合は、情報処理装置３０〜３０ｂが発する各周波数の音圧は同一の特性になるため、それらの合成した波形は、同一周波数のピークが重なることによりさらに強調され、騒音が発生する。また、図７中点線で示すグラフに示すように、各周波数領域におけるピーク値の差分が大きい箇所についても、耳障りな音、すなわち騒音を生じさせる原因となる。【００５８】
それに対して、図７中実線で示すグラフに示すように、情報処理装置３０〜３０ｂが発する各周波数の音圧がそれぞれ異なれば、それらの合成した波形は、ピークが重なることなく波形がならされるため、特定周波数の音の音圧レベルが他の周波数の音の音圧レベルよりも高くなることで発生する耳障り音を防ぐことができる。【００５９】
次に、回転速度に応じて、冷却ファンから発せられる音のピークの周波数が変化する点について、図８、図９を用いて説明する。図８は、実施例１に係る情報処理装置の前面から発せられる音の一例を説明するための図である。また、図９は、実施例１に係る情報処理装置の背面から発せられる音の一例を説明するための図である。なお、図８、図９に示すグラフの横軸は、周波数（Ｈｚ）を示し、縦軸は、音圧レベル（ｄＢ（Ａ））を示す。【００６０】
図８には、冷却ファン３３を駆動するパルスのデューティー比であるＦＡＮ  Ｄｕｔｙを変化させた際に、情報処理装置３０の前面から発生する音の周波数特性を示した。詳細には、図８には、冷却ファンのＦＡＮ  Ｄｕｔｙを「３５％」、「５０％」、「５５％」、「７０％」、「８０％」と変化させた際に情報処理装置３３の前面から発生する音の周波数特性を示した。なお、ＦＡＮ  Ｄｕｔｙと冷却ファンの回転速度との間には、ＦＡＮ  Ｄｕｔｙが大きくなるにしたがって、冷却ファンの回転速度が速くなるという相関関係を有する。【００６１】
例えば、図８に示す例では、ＦＡＮ  Ｄｕｔｙが「８０％」の際には、６３０Ｈｚ付近の音が最も大きいが、ＦＡＮ  Ｄｕｔｙが「３５％」の際には、４００Ｈｚ付近の音が最も大きい。また、図８に示す例では、ＦＡＮ  Ｄｕｔｙを大きくするに従って、情報処理装置３０から発せられる音圧レベルのピーク値も大きくなる。【００６２】
また、図９には、ＦＡＮ  Ｄｕｔｙを変化させた際に、情報処理装置３０の背面から発生する音の周波数特性を示した。詳細には、図９には、冷却ファンのＦＡＮ  Ｄｕｔｙを「３５％」、「５０％」、「５５％」、「７０％」、「８０％」と変化させた際に情報処理装置３０の背面から発生する音の周波数特性を示した。図９に示す例においても、ＦＡＮ  Ｄｕｔｙが「８０％」の際には、６３０Ｈｚ付近の音が最も大きいが、ＦＡＮ  Ｄｕｔｙが「３５％」の際には、４００Ｈｚ付近の音が最も大きい。また、図９に示す例においても、ＦＡＮ  Ｄｕｔｙを大きくするに従って、情報処理装置３０から発せられる音圧レベルのピーク値も大きくなる。【００６３】
このため、情報処理システムは、各情報処理装置が有する冷却ファンの回転速度を同じにした場合には、同じ周波数の騒音を重ね合わせてしまい、さらに大きな騒音を発生させてしまう。また、情報処理システムは、各情報処理装置が有する冷却ファンの回転速度を大きくするに従って、重ね合わせた騒音の音圧レベルのピーク値を大きくしてしまう。しかし、情報処理システム１は、各冷却ファン３３〜３３ｂの回転速度を変えることによって、各情報処理装置３０〜３０ｂから発せられる音のピークをそれぞれ異なる周波数にずらすことができる。この結果、情報処理システム１は、耳障り音、すなわち騒音を削減することができる。【００６４】
また、情報処理システム１は、各情報処理装置３０〜３０ｂの温度を収集し、いずれかの情報処理装置の温度が所定の閾値よりも大きい場合には、温度に問題があると判別する。また、情報処理システム１は、各情報処理装置３０〜３０ｂから発せられる音を測定し、測定した音の各周波数成分のうち、いずれかの周波数成分における音圧レベルが所定の閾値よりも大きい、または、各周波数成分のピーク値が所定の閾値よりも大きい場合には、音響に問題があると判別する。【００６５】
そして、情報処理システム１は、温度に問題があると判別した場合には、各冷却ファン３３〜３３ｂの回転速度を増加させ、温度に問題が無く、かつ、音響に問題がある場合には、各冷却ファン３３〜３３ｂの回転速度を減少させる。このため、情報処理システム１は、各情報処理装置３０〜３０ｂの温度が高くなることによる異常を防止するとともに、各情報処理装置３０〜３０ｂの温度に余裕がある場合には、冷却ファン３３〜３３ｂの回転速度を減少させ、音の大きさを小さくすることができる。【００６６】
また、情報処理システム１は、段階的に回転速度を変えた回転速度テーブルを有し、各情報処理装置３０〜３０ｂの温度と各情報処理装置３０〜３０ｂから発せられた音とに応じて、使用する回転速度テーブルを変えるので、最適な冷却ファンの制御を行う事ができる。すなわち、情報処理システム１は、各回転速度テーブルの設定を順次試行し、温度と音響とに問題が発生しない回転速度テーブルを選択するので、最適な冷却ファンの制御を行う事ができる。【００６７】
また、情報処理システム１は、設定した各回転速度パターンと温度情報と音響情報とを温度音響記憶部１８に随時記憶させる。このため、情報処理システム１は、各回転速度パターンにおける各情報処理装置３０〜３０ｂの温度と各情報処理装置３０〜３０ｂから発した音の音圧レベルとを利用者に確認させることができる。この結果、温度音響記憶部１８に記憶させた情報に基づいて、情報処理システム１に適した回転速度テーブルを作成することができるので、最適な冷却ファン３３〜３３ｂの制御を行う事ができる。【００６８】
例えば、温度情報収集部１２、温度解析部１３、音響情報収集部１４、音響解析部１５、ファン回転速度決定部１６、ファン回転速度設定部１７、温度監視部３１〜３１ｂ、ファン回転速度制御部３２〜３２ｂとは、電子回路である。ここで、電子回路の例として、ＡＳＩＣ（Application  Specific  Integrated  Circuit）やＦＰＧＡ（Field  Programmable  Gate  Array）などの集積回路などを適用する。【００６９】
また、ファン回転速度テーブル記憶部１１、温度音響記憶部１８とは、ＲＡＭ（Random  Access  Memory）、ＲＯＭ（Read  Only  Memory）、フラッシュメモリ（flash  memory）などの半導体メモリ素子、または、ハードディスクなどの記憶装置である。【００７０】
［監視サーバ１０の処理］
次に、図１０を用いて、監視サーバ１０が実行する処理の一例について説明する。図１０は、実施例１に係る監視サーバが実行する処理の一例を説明するための図である。図１０に示す例では、監視サーバ１０は、情報処理システム１が起動されたことをトリガとして、処理を開始する。【００７１】
まず、監視サーバ１０は、各冷却ファン３３〜３３ｂの回転速度を、「パターン１」の回転速度テーブル１１ａが示す各回転速度を各ファン回転速度制御部３２〜３２ｂに指示する（ステップＳ１０１）。次に、監視サーバ１０は、情報処理システム１の環境が安定するのを待ち、温度情報と音響情報と設定したパターンとを記憶する（ステップＳ１０２）。【００７２】
次に、監視サーバ１０は、温度と音響とに問題があるか否かを判別する（ステップＳ１０３）。つまり、監視サーバ１０は、温度が所定の閾値よりも高い情報処理装置があるか否かを判別するとともに、所定の閾値よりも大きい音圧レベルの音が測定されたか否か、または、各周波数成分のピーク値が所定の閾値よりも大きいか否かを判別する。そして、監視サーバ１０は、温度と音響とに問題がないと判別した場合には（ステップＳ１０３肯定）、「グループ２」の最初のパターンである「パターン２−１」の回転速度テーブル１１ｂを参照し、各冷却ファン３３〜３３ｂの回転速度を設定する（ステップＳ１０４）。【００７３】
次に、監視サーバ１０は、情報処理システム１の環境が安定するのを待ち、温度情報と音響情報と設定したパターンとを記憶する（ステップＳ１０５）。次に、監視サーバ１０は、温度と音響とに問題があるか否かを判別する（ステップＳ１０６）。つまり、監視サーバ１０は、各冷却ファン３３〜３３ｂの回転速度を下げたことにより、温度と音響とに問題が発生したか否かを判別する。そして、監視サーバ１０は、問題があると判別した場合には（ステップＳ１０６否定）、一つ前に設定したパターンを再度参照し、参照したパターンが示す回転速度を指示する（ステップＳ１０７）。また、監視サーバ１０は、情報処理システム１の環境が安定するのを待ち、温度情報と音響情報と設定したパターンとを記憶する（ステップＳ１０８）。【００７４】
一方、監視サーバ１０は、温度と音響とに問題がないと判別した場合には（ステップＳ１０６肯定）、参照したパターンが「パターン２」のグループのうち最後のパターン、すなわち、設定された回転速度がもっとも低いパターンであるか否かを判別する（ステップＳ１０９）。そして、監視サーバ１０は、参照したパターンが「グループ２」のグループの最後のパターンであると判別した場合には（ステップＳ１０９肯定）、パターンの変更を行わず、処理を終了する。【００７５】
一方、監視サーバ１０は、参照したパターンが「パターン２」のグループの最後のパターンではないと判別した場合には（ステップＳ１０９否定）、「パターン２」のグループの次のパターン、すなわち、現在設定中のパターンよりもさらに低い回転速度が設定されたパターンを参照し、参照したパターンが示す回転速度を指示する（ステップＳ１１０）。その後、監視サーバ１０は、再度、情報処理システム１の環境が安定するのを待ち、温度情報と音響情報と設定したパターンとを記憶する（ステップＳ１０５）。【００７６】
また、監視サーバ１０は、温度または音響に問題があると判別した場合には（ステップＳ１０３否定）、温度に問題があるか否かを判別する（ステップＳ１１１）。そして、監視サーバ１０は、温度に問題が無いと判別した場合には（ステップＳ１１１否定）、音響に問題があるということであり、「パターン２」のグループの最初のパターンである「パターン２−１」の回転速度テーブル１１ｂを参照し、各冷却ファン３３〜３３ｂの回転速度を設定する（ステップＳ１０４）。【００７７】
一方、監視サーバ１０は、温度に問題があると判別した場合には（ステップＳ１１１肯定）、「パターン３」のグループの最初のパターン、すなわち「パターン３−１」の回転速度テーブル１１ｄを参照し、参照した「パターン３−１」の回転速度テーブル１１ｄが示す回転速度を指示する（ステップＳ１１２）。次に、監視サーバ１０は、情報処理システム１の環境が安定するのを待ち、温度情報と音響情報と設定したパターンとを記憶する（ステップＳ１１３）。次に、監視サーバ１０は、温度および音響に問題があるか否かを判別し（ステップＳ１１４）、問題がないと判別した場合には（ステップＳ１１４肯定）、そのまま処理を終了する。【００７８】
一方、監視サーバ１０は、温度または音響に問題があると判別した場合には（ステップＳ１１４否定）、設定したパターンが「パターン３」のグループのうち、最も回転速度が高いパターン、すなわち、最後のパターンであるか否かを判別する（ステップＳ１１５）。そして、監視サーバ１０は、設定したパターンが「パターン３」のグループの最後のパターンではないと判別した場合には（ステップＳ１１５否定）、「パターン３」のグループの次のパターンを参照し、各冷却ファン３３〜３３ｂの回転速度を設定する（ステップＳ１１６）。その後、監視サーバ１０は、情報処理システム１の環境が安定するのを待ち、温度情報と音響情報と設定したパターンとを記憶する（ステップＳ１１３）。一方、監視サーバ１０は、温度と音響とに問題がないと判別した場合には（ステップＳ１１４肯定）、そのまま処理を終了する。また、監視サーバ１０は、設定したパターンが「パターン３」のグループのうち、最も回転速度が高い最後のパターンであると判別した場合には（ステップＳ１１５）、そのまま処理を終了する。【００７９】
［実施例１の効果］
上述したように、情報処理システム１は、各情報処理装置３０〜３０ｂが有する各冷却ファンの回転速度をそれぞれ異なる回転速度に設定する。このため、情報処理システム１は、各情報処理装置３０〜３０ｂが発する音のピークの周波数をずらすことで、音圧レベルのピークが重なりを抑止するとともに、各周波数成分の音圧レベルの差を小さくできるため、騒音を低減することができる。【００８０】
また、情報処理システム１は、各情報処理装置３０〜３０ｂの温度を収集し、いずれかの情報処理装置の温度が所定の閾値よりも大きい場合には、温度に問題があると判別する。また、情報処理システム１は、各情報処理装置３０〜３０ｂから発せられる音を測定し、測定した音の各周波数成分のうち、いずれかの周波数成分における音圧レベルが所定の閾値よりも大きい、または、各周波数成分のピーク値が所定の閾値よりも大きい場合には、音響に問題があると判別する。【００８１】
そして、情報処理システム１は、温度に問題があると判別した場合には、各冷却ファン３３〜３３ｂの回転速度を増加させ、温度に問題が無く、かつ、音響に問題がある場合には、各冷却ファン３３〜３３ｂの回転速度を減少させる。このため、情報処理システム１は、各情報処理装置３０〜３０ｂの温度が高くなることによる異常を防止することができる。また、情報処理システム１は、各情報処理装置３０〜３０ｂの温度に余裕がある場合には、冷却ファンの回転速度を減少させ、音圧レベルのピーク値を小さくすることができる。【００８２】
また、情報処理システム１は、段階的に回転速度を変えた回転速度テーブルを有し、各情報処理装置３０〜３０ｂの温度と各情報処理装置３０〜３０ｂから発せられた音とに応じて、使用する回転速度テーブルを変えるので、最適な冷却ファンの制御を行う事ができる。【００８３】
また、情報処理システム１は、設定した各回転速度パターンと温度情報と音響情報とを温度音響記憶部１８に随時記憶させる。このため、情報処理システム１は、各回転速度パターンにおける各情報処理装置３０〜３０ｂの温度と各情報処理装置３０〜３０ｂから発した音の音圧レベルとを利用者に確認させることができる。この結果、温度音響記憶部１８に記憶させた情報に基づいて、情報処理システム１に適した回転速度テーブルを作成することができるので、最適な冷却ファンの制御を行う事ができる。【００８４】
また、情報処理システム１は、各情報処理装置３０〜３０ｂのそれぞれに温度測定部３１〜３１ｂを有する。このため、情報処理システム１は、情報処理装置３０〜３０ｂごとの温度を把握し、各情報処理装置３０〜３０ｂの温度が高温になることによる各情報処理装置の異常の発生を防止することができる。
【実施例２】
【００８５】
実施例２では、アクティブ音源を用いて、騒音を減少させる情報処理システム１ａについて説明する。図１１は、実施例２に係る情報処理システムの一例を説明するための図である。なお、以下の説明において、実施例１の各部と同様の処理を実行するものについては、同一の符号を付し、説明を省略する。【００８６】
図１１に示す例では、情報処理システム１ａは、情報処理システム１と同様の構成に加えて、複数のアクティブ音源２１〜２１ｂを有する。また、監視サーバ１０ａは、ファン回転速度決定部１６ａ、アクティブ音源制御部１９を有する。【００８７】
ファン回転速度決定部１６ａは、ファン回転速度決定部１６と同様の処理を実行し、各冷却ファン３３〜３３ｂの回転速度を決定する処理を実行する。また、ファン回転速度決定部１６ａは、いずれかの情報処理装置について測定された温度が所定の閾値よりも高く、かつ、音圧レベルが所定の閾値よりも大きい、または、各周波数成分の音圧レベルのピーク値が所定の閾値よりも大きい場合には、以下の処理を実行する。【００８８】
すなわち、ファン回転速度決定部１６ａは、温度が所定の閾値よりも高く、かつ、音圧レベルが所定の閾値よりも大きい、または、各周波数成分の音圧レベルのピーク値が所定の閾値よりも大きい情報処理装置を示す情報と、この情報処理装置から発せられる音を測定している音響測定装置から取得した音を示す情報をアクティブ音源制御部１９へ送信する。また、ファン回転速度決定部１６ａは、測定された温度が所定の閾値よりも高く、かつ、音圧レベルが所定の閾値よりも大きい、または、各周波数成分の音圧レベルのピーク値が所定の閾値よりも大きい場合には、現在の設定よりも高い回転速度を示す回転速度テーブルを新たに選択する。【００８９】
アクティブ音源制御部１９は、情報処理装置を示す情報とファン回転速度決定部１６ａから測定された音を示す情報を受信した場合には、受信した情報から測定された音の位相を反転させた音を示す情報を生成する。そして、アクティブ音源制御部１９は、生成した情報を受信した情報が示す情報処理装置の近傍に位置するアクティブ音源へ送信する。【００９０】
各アクティブ音源２１〜２１ｂは、アクティブ音源制御部１９から測定された音の位相を反転させた音を示す情報を受信した場合には、受信した情報が示す音を発生させる。つまり、各アクティブ音源２１〜２１ｂは、各音響測定装置２０〜２０ｂが測定した音の位相を反転させた音を発生させることで、騒音の音圧レベルを下げる。【００９１】
［実施例２の効果］
このように、情報処理システム１ａは、測定された温度が所定の閾値よりも高く、かつ、音圧レベルが所定の閾値よりも大きい、または、各周波数成分の音圧レベルのピーク値が所定の閾値よりも大きい場合には、各冷却ファン３３〜３３ｂの回転速度を上げると同時に、各アクティブ音源２１〜２１ｂを用いて、騒音の音圧レベルを下げる。このため、情報処理システム１ａは、各情報処理装置３０〜３０ｂの温度が高くなった場合にも、騒音の音圧レベルを下げつつ、冷却ファン３３〜３３ｂの回転速度を上げ、適切な冷却を行う事ができる。
【実施例３】
【００９２】
実施例１、実施例２では、情報処理システム１、１ａについて説明したが、本実施例はこれに限定されるものではない。そこで、以下では実施例３として本発明に含まれる他の実施例を説明する。【００９３】
（１）冷却ファンの設定の仕方について
図１２は、実施例３に係る情報処理装置の一例を説明するための図である。図１２に示す情報処理システム１ｂは、複数の情報処理装置３０ｃ〜３０ｅを有する。各情報処理装置３０ｃ〜３０ｅは、それぞれ冷却ファン３３ｃ〜３３ｅを有する。各情報処理装置３０ｃ〜３０ｅが有する各冷却ファン３３ｃ〜３３ｅは、予めそれぞれ異なる回転速度が設定されている。つまり、冷却ファン３３ｃには回転速度「Ｌ」（回転／秒）が、冷却ファン３３ｄには回転速度「Ｍ」（回転／秒）が、冷却ファン３３ｅには回転速度「Ｎ」（回転／秒）が設定されている。【００９４】
すなわち、情報処理システム１ｂは、各冷却ファン３３ｃ〜３３ｅの回転速度をそれぞれ異なる回転速度に設定することができるならば、任意の方法で設定を行う事ができ、図１２に示すように、あらかじめ固定の回転速度が適用されるようにしてもよい。各冷却ファン３３ｃ〜３３ｅの回転速度をそれぞれ異なる回転速度に設定すれば、同一周波数成分のピークが協調されることなく、騒音を防止することができるからである。【００９５】
（２）異なる回転速度の適用の仕方について
図１３は、実施例３に係る情報処理装置のグループを説明するための図である。図１３に示す例では、情報処理システム１ｃは、複数の情報処理装置３０ｆ〜３０ｋを有する。情報処理装置３０ｆと情報処理装置３０ｇが第１グループとして、情報処理装置３０ｈと情報処理装置３０ｉとが第２グループとして、情報処理装置３０ｊと情報処理装置３０ｋが第３グループとして対応付けられている。【００９６】
図１３に示すように、情報処理システム１ｃは、複数の情報処理装置を１つのグループとして対応付け、各グループに異なる回転速度を設定するものとしてもよい。つまり、情報処理システム１ｃは、第１グループに含まれる情報処理装置３０ｆ、３０ｇの冷却ファン３３ｆ、３３ｇに回転速度「Ｌ」（回転／秒）を設定し、第２グループに含まれる情報処理装置３０ｈ、３０ｉの冷却ファン３３ｈ、３３ｉに回転速度「Ｍ」（回転／秒）を設定する。【００９７】
また、情報処理システム１ｃは、第３グループに含まれる情報処理装置３０ｊ、３０ｋの冷却ファン３３ｊ、３３ｋに回転速度「Ｎ」（回転／秒）を設定する。このように、情報所システム１ｃは、複数の情報処理装置を１つのグループとして対応付け、各グループに異なる冷却ファンの回転速度を設定することとした場合には、各冷却ファン３３ｆ〜３３ｋの設定を容易に行う事ができる。【００９８】
また、図１４は、実施例３に係る情報処理装置のグループに対して、回転速度を設定する処理を説明するための図である。図１４に示す例では、情報処理システム１ｄは、情報処理装置３０ｌ、３０ｍを第１グループとして、情報処理装置３０ｎ、３０ｏを第２グループとして、情報処理装置３０ｐ、３０ｑを第３グループとして対応付けている。なお、各情報処理装置３０ｌ〜３０ｑが有する各ファン回転速度制御部３２ｌ〜３２ｑ、および、冷却ファン３３ｌ〜３３ｑは、実施例１に係るファン回転速度制御部および冷却ファンと同様の機能を有するものとして、以下の説明を省略する。【００９９】
また、情報処理システム１ｄは、監視サーバ１０と同様の機能を発揮する監視サーバ１０ｂを有する。また、監視サーバ１０ｂは、ファン回転速度設定部１７と同様の機能を発揮するファン回転速度設定部１７ａを有する。このようなファン回転速度設定部１７ａは、各グループに異なる回転速度を設定する。例えば、ファン回転速度設定部１７ａは、第１グループの情報処理装置３０ｌ、３０ｍが有する冷却ファン３３ｌ、３３ｍに回転速度「Ｌ」（回転／秒）を設定し、第２グループの情報処理装置３０ｎ、３０ｏが有する冷却ファン３３ｎ、３３ｏに回転速度「Ｍ」（回転／秒）を設定する。また、ファン回転速度設定部１７ａは、第３グループの情報処理装置３０ｐ、３０ｑが有する冷却ファン３３ｐ、３３ｑに回転速度「Ｎ」（回転／秒）を設定する。【０１００】
このように、外部からの指示で各冷却ファン３３ｌ〜３３ｑの回転速度を設定することで、情報処理システム１ｄの導入、稼働開始後であっても、装置外部からの指示で各冷却ファン３３ｌ〜３３ｑの回転速度を変更することができる。【０１０１】
（３）優先順位について
上述した情報処理システム１は、いずれかの情報処理装置において温度が閾値よりも高くなった場合には、各冷却ファン３３〜３３ｂの回転速度を高めていた。しかし、実施例はこれに限定されるものではない。例えば、情報処理システムは、各情報処理装置が設置された位置に応じて、温度を優先するか否かを示す温度優先情報を設定し、温度優先情報に従って、各情報処理装置が有する冷却ファンの回転速度を制御することとしてもよい。【０１０２】
図１５ａは、各情報処理装置の優先順位を説明するための図である。図１５ａに示す例では、情報処理システム１ｅは、複数の情報処理装置＃１〜＃１６と、監視サーバ１０ｃとを有する。また、情報処理システム１ｅは、各情報処理装置が設置された位置に応じて優先順位１のグループ２、優先順位２のグループ３、優先順位なしのグループ４を設定する。なお、各グループ２〜４は、上述した第１グループ〜第３グループと対応するものであってもよい。また、情報処理システム１ｅは、情報処理装置＃１〜＃１６以外にも、情報処理装置を有するものとする。【０１０３】
優先順位１のグループ２に含まれる情報処理装置＃９〜＃１６は、騒音が問題とならない位置に設置されており、温度を最優先する優先順位１の温度優先情報が設定されている。また、優先順位２のグループ３に含まれる情報処理装置＃５〜＃８は、騒音をある程度抑えたい位置に設置されており、所定の閾値以上の温度となった際に、温度を優先する優先順位２の温度優先情報が設定されている。また、優先順位なしのグループ４に含まれる情報処理装置＃１〜＃４は、騒音が問題となる位置に設置されており、温度を優先する温度優先情報は設定されていない。【０１０４】
図１５ｂは、実施例３に係る情報処理システムの一例を説明するための図である。なお、図１５ｂが有する各部１１〜１５、１７、１８は、監視サーバ１０が有する各部１１〜１５、１７、１８と同様の機能を発揮するものとして、説明を省略する。また、監視サーバ１０ｃは、ファン回転速度決定部１６ｂとグループ情報記憶部１８ａとを有する。【０１０５】
グループ情報記憶部１８ａは、各情報処理装置＃１〜＃１６がどの優先順位のグループに含まれるかを示すグループ情報を記憶する。図１５ｃは、実施例３に係るグループ情報の一例を説明するための図である。例えば、図１５ｃに示す例では、グループ情報記憶部１８ａは、優先順位１のグループとして、情報処理装置＃９〜＃１６を示す情報を記憶し、優先順位２のグループとして、情報処理装置＃５〜＃８を示す情報を記憶し、優先順位なしのグループとして、情報処理装置＃１〜＃４を示す情報を記憶する。【０１０６】
ファン回転速度決定部１６ｂは、グループ情報記憶部１８ａに記憶されたグループ情報に基づいて、情報処理装置＃１〜＃１６を含むグループを判別する。例えば、ファン回転速度決定部１６ｂは、図１５ｃに示すグループ情報に基づいて、情報処理装置＃９が優先順位１のグループに含まれると判別し、情報処理装置＃５が優先順位２のグループに含まれると判別し、情報処理装置＃４が優先順位なしのグループに含まれると判別する。そして、ファン回転速度決定部１６ｂは、判別したグループごとに異なる冷却ファンの回転速度を決定する。その後、ファン回転速度設定部１７は、ファン回転速度決定部１６ｂが決定したグループ毎に異なる冷却ファンの回転速度を設定する。【０１０７】
図１５ｄは、実施例３に係る監視サーバが各グループの情報処理装置が有する冷却ファンに対して設定する回転速度を説明するための図である。例えば、図１５ｄに示す例では、監視サーバ１０ｃは、優先順位１のグループの情報処理装置＃９について、測定された温度が３０度以上である場合には、冷却ファンの回転速度を「５０００」（回転／分）に設定する。また、監視サーバ１０ｃは、優先順位１のグループの情報処理装置＃９について、測定された温度が２５度以上３０度未満である場合には、冷却ファンの回転速度を「４０００」（回転／分）に設定する。また、監視サーバ１０ｃは、優先順位１のグループの情報処理装置＃９について、設定された温度が２５度未満である場合には、冷却ファンの回転速度を「３０００」（回転／分）に設定する。【０１０８】
また、監視サーバ１０ｃは、優先順位２のグループの情報処理装置＃５について、測定された温度が３０度以上である場合には、冷却ファンの回転速度を「４０００」（回転／分）に設定する。また、監視サーバ１０ｃは、優先順位２のグループの情報処理装置＃５について、測定された温度が３０度未満である場合には、起動時に設定された回転速度のままにする。また、監視サーバ１０ｃは、優先順位なしのグループの情報処理装置＃４については、測定された温度に係らず、冷却ファンの回転速度を起動時に設定された回転速度のままにする。【０１０９】
このように、監視サーバ１０ｃは、情報処理装置＃１〜＃１６が設置された位置に応じて温度優先情報を設定することにより、情報処理装置＃１〜＃１６が設置された位置に応じた最適な冷却ファンの制御を行う事ができる。【０１１０】
また、情報処理システムは、騒音の防止を優先する旨を示す音響優先情報を設定しても良い。図１６は、音響優先情報を設定する情報処理システムの一例を説明するための図である。なお、図１６に示す情報処理システム１ｆは、情報処理システム１ｅと同様に、複数の情報処理装置＃１〜＃１６を有するものとし、監視サーバ１０ｄが有する各部１２〜１５、１７、１８は、監視サーバ１０ｃが有する各部１２〜１５、１７、１８と同様の機能を発揮する。また、情報処理システム１ｆは、音響優先情報記憶部１８ｂを有する。【０１１１】
音響優先情報記憶部１８ｂは、情報処理システム１ｆが有する複数の情報処理装置とを対応付けて記憶する。例えば、音響優先情報記憶部１８ｂは、図１５ａに示した優先順位１のグループ２に含まれる情報処理装置＃９〜＃１６を示す情報と、優先順位１の音響優先情報とを対応付けて記憶する。また、音響優先情報記憶部１８ｂは、図１５ａに示した優先順位２のグループ３に含まれる情報処理装置＃５〜＃８を示す情報と、優先順位２の音響優先情報とを対応付けて記憶する。また、音響優先情報記憶部１８ｂは、図１５ａに示した優先順位なしのグループ４に含まれる情報処理装置＃１〜＃４を示す情報を、音響を優先しない旨の情報とを対応付けて記憶する。【０１１２】
ファン回転速度決定部１６ｂは、各情報処理装置＃１〜＃１６について、音響優先情報記憶部１８ｂを参照し、各情報処理装置＃１〜＃１６がどのグループに含まれるかを判別する。そして、ファン回転速度決定部１６は、判別したグループに応じて、異なる回転数を決定する。【０１１３】
図１７は、実施例３に係る監視サーバ１０ｄが音響優先情報に基づいて実行する処理の一例を説明するためのフローチャートである。なお、監視サーバ１０ｄは、各情報処理装置＃１〜＃１６について、以下の処理を実行する。なお、以下の説明における「Ｘ」および「Ｙ」は、予め設定される所定の閾値である。【０１１４】
まず、監視サーバ１０ｄは、音響優先情報記憶部１８ｂを参照し、処理の対象となる情報処理装置が優先順位１のグループに含まれるか否かを判別する（ステップＳ２０１）。つまり、監視サーバ１０ｄは、情報処理装置に優先順位１の音響優先情報が設定されているか否かを判別する。そして、監視サーバ１０ｄは、情報処理装置が優先順位１のグループに含まれると判別した場合には（ステップＳ２０１肯定）、情報処理装置から発せられる音圧レベルのピーク値のうち、最大のピーク値と最小のピーク値が「Ｘ」デシベル以上であるか否かを判別する（ステップＳ２０２）。そして、監視サーバ１０ｄは、音圧レベルのピーク値が「Ｘ」デシベル以上であると判別した場合には（ステップＳ２０２肯定）、情報処理装置が有する冷却ファンの回転速度を現回転速度の９０パーセントに設定し（ステップＳ２０３）、処理を終了する。【０１１５】
一方、監視サーバ１０ｄは、音圧レベルのピーク値が「Ｘ」デシベル未満であると判別した場合には（ステップＳ２０２否定）、各ピーク値のうち、最大の値と最小の値との差であるピーク差が「Ｙ」デシベル以上であるか否かを判別する（ステップＳ２０４）。そして、監視サーバ１０ｄは、音圧レベルのピーク差が「Ｙ」デシベル以上であると判別した場合には（ステップＳ２０４肯定）、情報処理装置が有する冷却ファンの回転速度を現回転速度の９５パーセントに設定し（ステップＳ２０５）、処理を終了する。また、監視サーバ１０ｄは、音圧レベルのピーク差が「Ｙ」デシベル未満であると判別した場合には（ステップＳ２０４否定）、冷却ファンの回転速度を変更せず（ステップＳ２０９）、処理を終了する。【０１１６】
また、監視サーバ１０ｄは、情報処理装置が優先順位１のグループに含まれないと判別した場合には（ステップＳ２０１否定）、優先順位２のグループに含まれるか否かを判別する（ステップＳ２０６）。つまり、監視サーバ１０ｄは、情報処理装置に優先順位２の音響優先情報が設定されているか否かを判別する。そして、監視サーバ１０ｄは、情報処理装置が優先順位２のグループに含まれると判別した場合には（ステップＳ２０６肯定）、音圧レベルのピーク値が「Ｘ」デシベル以上であるか否かを判別する（ステップＳ２０７）。また、監視サーバ１０ｄは、音圧レベルのピーク値が「Ｘ」デシベル以上であると判別した場合には（ステップＳ２０７肯定）、冷却ファンの回転速度を現回転速度の９５パーセントに設定し（ステップＳ２０８）、処理を終了する。【０１１７】
一方、監視サーバ１０ｄは、音圧レベルのピーク値が「Ｘ」デシベル未満であると判別した場合には（ステップＳ２０７否定）、冷却ファンの回転速度を変更せず（ステップＳ２０９）、処理を終了する。また、監視サーバ１０ｄは、情報処理装置が優先順位２のグループに含まれないと判別した場合には（ステップＳ２０６否定）、回転速度を変更せず、処理を終了する。【０１１８】
（４）音響測定装置の設置位置について
上述した実施例１では、情報処理システム１は、各情報処理装置３０〜３０ｂから発せられた音を測定するため、各情報処理装置３０〜３０ｂの近傍に音響測定装置２０〜２０ｂを設置していた。しかし、実施例は、これに限定されるものではない。【０１１９】
図１８は、音響測定装置の設置位置を説明するための第１の図である。例えば、図１８に示すように、音響測定装置２０ｃ〜２０ｆは、それぞれ複数の情報処理装置から発せられる音を測定る位置に設置されていてもよい。また、図１９は、音響測定装置の設置位置を説明するための第２の図である。例えば、図１９に示すように、音響測定装置２０ｃ〜２０ｆは、複数の情報処理装置が設置された計算機室の外側に設置されても良い。また、図２０は、音響測定装置の設置位置を説明するための第３の図である。図２０に示すように、計算機室が建物の１階に設置されている際に、音響測定装置２０ｃを建物の２階に設置し、音響測定装置２０ｄを地下１階に設置しても良い。【０１２０】
すなわち、計算機室に近接する部屋や、計算機室の上下階の部屋には、建物の構造に応じて、不測の騒音が伝達する場合がある。このような不測の騒音について、図２１、図２２を用いて、不測の騒音について説明する。図２１は、計算機室内において測定された音の周波数成分を説明するための図である。また、図２２は、計算機室外において測定された音の周波数成分を説明するための図である。なお、図２１、図２２には、冷却ファンの回転速度を「中」に設定した際に発生した音の周波数成分と、冷却ファンの回転速度を「低」に設定した際に発生した音の周波数成分とを示した。【０１２１】
図２１に示すように、冷却ファンの回転速度を「低」に設定した場合には、計算機室内において「８６」デシベルの音圧のピークが測定され、冷却ファンの回転速度を「中」に設定した場合には、計算機室内における音に「９０」デシベルの音圧のピークが測定された。つまり、計算機室内においては、冷却ファンの回転速度を「中」に設定した際に冷却ファンの回転速度を「低」に設定した際よりも、大きな騒音が発生している。【０１２２】
一方、図２２に示す例では、冷却ファンの回転速度を「低」に設定した場合には、計算機室外において「３２」デシベルの音圧のピークが測定され、冷却ファンの回転速度を「中」に設定した場合には、計算機室外における音に「２５」デシベルの音圧のピークが測定された。つまり、計算機室外においては、冷却ファンの回転速度を「低」に設定した際に冷却ファンの回転速度を「中」に設定した際よりも、大きな騒音が発生している。【０１２３】
このように、計算機室外においては、冷却ファンの回転速度を単純に遅くすれば騒音が小さくなるとは限らない。このため、音響測定装置２０ｃ〜２０ｆを、計算機室の内側ではなく、外側に設置することにより、より適切な騒音対策を行う事ができる。なお、音響測定装置２０ｃ〜２０ｆは、可動式とすることで、任意の位置に設置するようにしてもよい。【０１２４】
（５）冷却ファンの回転速度について
上述した実施例１では、情報処理システム１は、各回転速度テーブル１１ａ〜１１ｅが示す回転速度を各冷却ファン３３〜３３ｂに設定した。しかし、実施例は、これに限定されるものではなく、例えば、情報処理システムは、その都度、音圧レベルのピーク値に応じて、冷却ファンの回転速度を算出することとしてもよい。【０１２５】
図２３は、実施例３に係る情報処理システムが新たな冷却ファンの回転速度を算出する処理を説明するためのフローチャートである。例えば、情報処理システム１ｇは、情報処理装置３０〜３０ｂを有し、以下の処理を各情報処理装置３０〜３０ｂに対して個別に実行する。【０１２６】
例えば、情報処理システム１ｇは、情報処理装置３０の温度が所定の閾値を超えているか否かを判別することで、情報処理装置３０の温度に問題があるか否かを判別する（ステップＳ３０１）。そして、情報処理システム１ｇは、温度に問題が無いと判別した場合には（ステップＳ３０１否定）、情報処理装置３０から発せられる音の音圧レベルのピーク値が「Ｘ」デシベル以上であるか否かを判別する（ステップＳ３０２）。また、情報処理システム１ｇは、音圧レベルのピーク値が「Ｘ」デシベル以上であると判別した場合には（ステップＳ３０２肯定）、情報処理装置３０が有する冷却ファン３３の回転速度を現回転速度の９０パーセントに設定する（ステップＳ３０３）。そして、情報処理システム１ｇは、情報処理装置３０に対する処理を終了する。【０１２７】
一方、情報処理システム１ｇは、情報処理装置３０から発せられる音の音圧レベルのピーク値が「Ｘ」デシベル未満であると判別した場合には（ステップＳ３０２否定）、音圧レベルのピーク差が「Ｙ」デシベル以上であるか否かを判別する（ステップＳ３０４）。そして、情報処理システム１ｇは、音圧レベルのピーク差が「Ｙ」デシベル以上であると判別した場合には（ステップＳ３０４肯定）、情報処理システム１は、冷却ファン３３の回転速度を現回転速度の９５パーセントに設定し（ステップＳ３０５）、処理を終了する。また、情報処理システム１ｇは、音圧レベルのピーク差が「Ｙ」デシベル未満であると判別した場合には（ステップＳ３０４否定）、冷却ファン３３の回転速度を変更せず（ステップＳ３０６）、処理を終了する。また、情報処理システム１ｇは、温度に問題があると判別した場合には（ステップＳ３０１肯定）、温度に余裕がないため、冷却ファン３３の回転速度を変更せず（ステップＳ３０６）、処理を終了する。【０１２８】
情報処理システム１ｇは、このような処理を各情報処理装置３０〜３０ｂが有する各冷却ファン３３〜３３ｂに対して行うことで、各冷却ファン３３〜３３ｂの回転速度を適切に変更し、温度異常を防止しつつ、騒音を少なくすることができる。【０１２９】
（６）温度と音響とに応じた処理について
実施例１に係る情報処理システムは、各情報処理装置に、温度を優先するか、音響を優先するか予め設定し、温度を優先するか音響を優先するかに応じて、異なる処理を実行することとしてもよい。例えば、情報処理システム１ｈは、各情報処理装置３０〜３０ｂを有し、各情報処理装置３０〜３０ｂのうち、温度を優先する情報処理装置に温度優先情報を設定し、音響を優先する情報処理装置に音響優先情報を設定する。【０１３０】
そして、情報処理システム１ｈは、温度優先情報を設定した情報処理装置に対しては、図２４に示すテーブルに従って、冷却ファンの回転速度を設定する。なお、図２４は、温度を優先する情報処理装置の冷却ファンに対する制御の一例を説明するための図である。【０１３１】
具体的には、情報処理システム１ｈは、情報処理装置の温度が３０度以上である際に測定された音圧レベルのピーク値が「Ｘ」デシベル以上である場合には、冷却ファンの回転速度を５％増加させる。また、情報処理システム１ｈは、情報処理装置の温度が３０度以上である際に測定された音圧レベルのピーク差が「Ｙ」デシベル未満である場合には、冷却ファンの回転速度を５％増加させる。それ以外の場合は、冷却ファンの回転速度を１０％増加させる。【０１３２】
また、情報処理システム１ｈは、情報処理装置の温度が２５度以上３０度未満である際に測定された音圧レベルのピーク値が「Ｘ」デシベル以上でも音圧レベルのピーク差が「Ｙ」デシベル以上でもない場合に、回転速度を５％増加させる。また、情報処理システム１ｈは、温度と音響の関係が、上述した状態以外の場合には、冷却ファンの回転速度をそのままにする。【０１３３】
また、情報処理システム１ｈは、音響優先情報を設定した情報処理装置に対しては、図２５に示すテーブルに従って、冷却ファンの回転速度を設定する。なお、図２５は、音響を優先する情報処理装置の冷却ファンに対する制御の一例を説明するための図である。【０１３４】
具体的には、情報処理システム１ｈは、情報処理装置の温度が３０度以上である際に測定された音圧レベルのピーク値が「Ｘ」デシベル以上である場合には、冷却ファンの回転速度を５％減少させる。また、情報処理システム１ｈは、情報処理装置の温度が３０度以上である際に測定された音圧レベルのピーク差が「Ｙ」デシベル以上である場合には、冷却ファンの回転速度を５％減少させる。また、情報処理システム１ｈは、情報処理装置の温度が３０度以上である際に測定された音圧レベルのピーク値が「Ｘ」デシベル未満で音圧レベルのピーク差が「Ｙ」デシベル未満である場合には、冷却ファンの回転速度をそのままにする。【０１３５】
また、情報処理システム１ｈは、情報処理装置の温度が２５度以上３０度未満である際に測定された音圧レベルのピーク値が「Ｘ」デシベル以上である場合には、冷却ファンの回転速度を５％減少させる。また、情報処理システム１ｈは、情報処理装置の温度が２５度以上３０度未満である際に測定された音圧レベルのピーク差が「Ｙ」デシベル以上である場合には、冷却ファンの回転速度を５％減少させる。また、情報処理システム１ｈは、情報処理装置の温度が２５度以上３０度未満である際に測定された音圧レベルのピーク値が「Ｘ」デシベル未満で音圧レベルのピーク差が「Ｙ」デシベル未満である場合には、冷却ファンの回転速度をそのままにする。【０１３６】
また、情報処理システム１ｈは、情報処理装置の温度が２５度未満である際に測定された音圧レベルのピーク値が「Ｘ」デシベル以上である場合には、冷却ファンの回転速度を１０％減少させる。また、情報処理システム１ｈは、情報処理装置の温度が２５度未満である際に測定された音圧レベルのピーク差が「Ｙ」デシベル以上である場合には、冷却ファンの回転速度を５％減少させる。また、情報処理システム１ｈは、情報処理装置の温度が２５度未満である際に測定された音圧レベルのピーク値が「Ｘ」デシベル未満で音圧レベルのピーク差が「Ｙ」デシベル未満である場合には、冷却ファンの回転速度をそのままにする。【０１３７】
このように、情報処理システム１ｈは、温度を優先するか、または、音響を優先するかによって、異なる処理を実行することで、冷却ファンの回転速度をよりきめ細かく制御することができる。【０１３８】
（７）処理を実行するタイミングについて
上述した各情報処理システム１〜１ｈは、各冷却ファンの回転速度を設定する処理を、任意のタイミングで行う事ができる。例えば、各情報処理システム１〜１ｈは、情報処理システム１〜１ｈの電源投入時に各冷却ファンの回転速度を設定することとしてもよい。また、各情報処理システム１〜１ｈは、情報処理システム１〜１ｈの再起動発生時に各冷却ファンの回転速度を設定することとしてもよい。また、各情報処理システム１〜１ｈは、一定時間おきに、各冷却ファンの回転速度を設定することで、常に最適な回転速度を維持するようにしてもよい。【０１３９】
また、各情報処理システム１〜１ｈは、温度、音響を一定時間おきに測定し、測定した温度と音響に基づいて温度または音響に異常が発生した際に各冷却ファンの回転速度を設定することとしてもよい。例えば、図２６は、情報処理システムが異常を検知する処理の流を説明するためのフローチャートである。【０１４０】
例えば、情報処理システム１ｉは、温度と音響とを測定し、測定した温度と音響とを記憶する（ステップＳ４０１）。そして、情報処理システム１ｉは、前回の測定結果と今回の測定結果とを比較し（ステップＳ４０２）、急激な温度の上昇や、音圧レベルの情報等の異常な兆候が検出されるか否かを判別する（ステップＳ４０３）。また、情報処理システム１ｉは、異常な兆候が検出されなかった場合には（ステップＳ４０３否定）、一定時間待機し（ステップＳ４０４）、その後、再度温度、音響を測定し、記憶する（ステップＳ４０１）。また、情報処理システム１ｉは、異常な兆候が検出された場合には（ステップＳ４０３肯定）、冷却ファンの回転速度を変更する（ステップＳ４０５）。なお、冷却ファンの回転速度を変更する処理については、上述した種々の処理を適用することができる。【０１４１】
このように、情報処理システム１ｉは、異常の兆候が現れた際に冷却ファンの回転速度を変更する処理を実行することで、異常な状態の発生を事前に回避することができる。【０１４２】
（８）時間ごとに異なる回転速度を設定する処理について
上述した各情報処理システム１〜１ｉは、各情報処理装置の温度および測定された音響に基づいて、冷却ファンの回転速度を変更した。しかし、実施例は、これに限定されるものではなく、例えば、時間に応じて異なる回転速度を設定してもよい。以下、時間に応じて異なる回転速度を設定する情報処理システム１ｊについて説明する。【０１４３】
図２７は、温度ごとに異なる回転速度を設定する回転速度テーブルを説明するための図である。例えば、情報処理システム１ｊは、図２７に示すように、午前８時から午後６時までの回転速度を設定するための回転速度テーブル１１ｆと、午後６時から午前８時までの回転速度を設定するための回転速度テーブル１１ｇとを有する。そして、情報処理システム１ｊは、午前８時から午後６時までの間は、各情報処理装置の温度に応じて、冷却ファンの回転速度を回転速度テーブル１１ｆが示す回転速度に設定する。また、情報処理システム１ｊは、午後６時から午前８までの間は、冷却ファンの回転速度を回転速度テーブル１１ｇが示す回転速度に設定する。【０１４４】
このように、情報処理システム１ｊは、時間ごとに異なる回転速度テーブルを用いて冷却ファンの回転速度を設定することによって、適切に冷却ファンの回転速度を設定することができる。例えば、情報処理システム１ｊは、作業者が帰宅した後は、音響を考慮しない設定を行い、作業者がいる時間帯においては、音響を考慮した設定を行う事ができる。【０１４５】
（９）アクティブ音源について
上述した情報処理システム１ａは、測定された温度が所定の閾値よりも高く、かつ、音圧レベルが所定の閾値よりも大きい、または、各周波数成分の音圧レベルのピーク値が所定の閾値よりも大きい場合には、冷却ファン３３〜３３ｂの回転速度を増加させるとともに、各アクティブ音源２１〜２１ｂを用いて、騒音を減少させていた。しかし、実施例は、これに限定されるものではない。例えば、情報処理システム１ａは、各音響測定装置２０〜２０ｂが測定した音の反位相の音を常時アクティブ音源２１に発生させることで、騒音を減少させることとしてもよい。【０１４６】
（１０）情報処理装置について
上述した各監視サーバ１０〜１０ｄは、複数の情報処理装置が有する各冷却ファンの回転速度を設定した。しかし、実施例はこれに限定されるものではない。すなわち、監視サーバ１０〜１０ｄは、回転速度を設定可能な冷却ファンを有し、筐体内の冷却を行う電子装置であれば、任意の電子装置が有する冷却ファンの回転速度を設定することとしてよい。【０１４７】
（１１）プログラム
ところで、上述した監視サーバ１０、１０ａは、ハードウェアを利用して各種の処理を実現する場合を説明した。しかし、実施例はこれに限定されるものではなく、あらかじめ用意されたプログラムをコンピュータで実行することによって実現するようにしてもよい。そこで、以下では、図２８を用いて、コンピュータに実行させることで、実施例１に示した監視サーバ１０と同様の機能を有する監視サーバの制御プログラムの一例を説明する。図２８は、監視サーバの制御プログラムを実行する監視サーバの一例を説明するための図である。【０１４８】
図２８に例示された監視サーバ１００は、ＨＤＤ（Hard  Disk  Drive）１１０、ＲＯＭ（Read  Only  Memory）１３０、ＣＰＵ（Central  Processing  Unit）１４０、ＲＡＭ（Random  Access  Memory）１５０がバス１７０で接続される。また、図２８に例示された監視サーバ１００は、各情報処理装置が有するファン回転速度制御部に回転速度を示す情報を送信したり、温度情報および音響情報を受信するためのＩ／Ｏ（Input/Output）１６０が接続される。【０１４９】
ＨＤＤ１１０には、回転速度指示テーブル１１１があらかじめ保存される。回転速度指示テーブル１１１は、実施例１に係る各回転速度テーブル１１ａ〜１１ｅと同様の情報を有している。ＲＯＭ１３０には、冷却ファン制御プログラム１３１があらかじめ保持される。ＣＰＵ１４０が冷却ファン制御プログラム１３１を読み出して実行することによって、冷却ファン制御プロセス１４１として機能するようになる。なお、冷却ファン制御プロセス１４１は、図１に示した各部１２〜１７と同様の機能を発揮する。【０１５０】
なお、本実施例で説明した冷却ファン制御プログラムは、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ（Compact  Disc  Read  Only  Memory）、ＭＯ（Magneto  Optical  Disc）、ＤＶＤ（Digital  Versatile  Disc）などのコンピュータで読取可能な記録媒体に記録される。また、このプログラムは、コンピュータによって記録媒体から読み出されることによって実行することもできる。【０１５１】
また、本実施例で説明した監視サーバの制御プログラムは、制御サーバ１０だけではなく、各制御サーバ１０ａ〜１０ｄが実行する処理と同様の機能を発揮するように、監視サーバ１００を制御することも可能である。
【符号の説明】
【０１５２】
１〜１ｊ  情報処理システム
２  優先順位１のグループ
３  優先順位２のグループ
４  優先順位なしのグループ
１０〜１０ｄ、１００  監視サーバ
１１  ファン回転速度テーブル記憶部
１１ａ〜１１ｇ  回転速度テーブル
１２  温度情報収集部
１３  温度解析部
１４  音響情報収集部
１５  音響解析部
１６〜１６ｂ  ファン回転速度決定部
１７〜１７ａ  ファン回転速度設定部
１８  温度音響記憶部
１９  アクティブ音源制御部
２０〜２０ｆ  音響測定装置
２１〜２１ｂ  アクティブ音源
３０〜３０ｑ  情報処理装置
３１〜３１ｂ  温度測定部
３２〜３２ｂ、３２ｌ〜３２ｑ  ファン回転速度制御部
３３〜３３ｑ  冷却ファン
１１０  ＨＤＤ（Hard  Disk  Drive）
１１１  回転速度指示テーブル
１３０  ＲＯＭ（Read  Only  Memory）
１３１  冷却ファン制御プログラム
１４０  ＣＰＵ（Central  Processing  Unit）
１４１  冷却ファン制御プロセス
１５０  ＲＡＭ（Random  Access  Memory）
１６０  Ｉ／Ｏ（Input/Output）
１７０  バス
【図１】
2012176339.tif 000003
【図２】
2012176339.tif 000004
【図３】
2012176339.tif 000005
【図４】
2012176339.tif 000006
【図５】
2012176339.tif 000007
【図６】
2012176339.tif 000008
【図７】
2012176339.tif 000009
【図８】
2012176339.tif 000010
【図９】
2012176339.tif 000011
【図１０】
2012176339.tif 000012
【図１１】
2012176339.tif 000013
【図１２】
2012176339.tif 000014
【図１３】
2012176339.tif 000015
【図１４】
2012176339.tif 000016
【図１５ａ】
2012176339.tif 000017
【図１５ｂ】
2012176339.tif 000018
【図１５ｃ】
2012176339.tif 000019
【図１５ｄ】
2012176339.tif 000020
【図１６】
2012176339.tif 000021
【図１７】
2012176339.tif 000022
【図１８】
2012176339.tif 000023
【図１９】
2012176339.tif 000024
【図２０】
2012176339.tif 000025
【図２１】
2012176339.tif 000026
【図２２】
2012176339.tif 000027
【図２３】
2012176339.tif 000028
【図２４】
2012176339.tif 000029
【図２５】
2012176339.tif 000030
【図２６】
2012176339.tif 000031
【図２７】
2012176339.tif 000032
【図２８】
2012176339.tif 000033
【国際調査報告】
2012176339.tif 000034
2012176339.tif 000035
2012176339.tif 000036
2012176339.tif 000037